(57)【要約】【課題】機種替えの作業性を良好に維持して、機種替えに要するコストを低減させることができる遊技機を提供する。【解決手段】遊技機１は、可動演出体を有する遊技盤ユニット５と、駆動源４Ａを有する枠体２とを備える。枠体２には、枠体２に対して遊動可能な遊動部材２６が配置されている。遊動部材２６には、駆動源４Ａの駆動側係合部材４２Ａが配置されている。枠体２には、遊技盤ユニット５を枠体２に対して固定するためのロック部材２１と、遊動部材２６を遊技盤ユニット５側へ押し出すための押出部材２３とが設けられている。駆動源４Ａの駆動側係合部材４２Ａと可動演出体の可動側係合部材６２Ａとは、ロック部材２１の操作を受けて押出部材２３が遊技盤ユニット５側に押し出されたときに、遊動部材２６が枠体２に対して遊動して、互いに係合するよう構成されている。【選択図】図４
2019092936.tif 000002
【特許請求の範囲】
【請求項１】
可動して遊技の演出を行う可動演出体を有する遊技盤ユニットと、
前記遊技盤ユニットを着脱可能に支持するとともに前記可動演出体を駆動する駆動源を有する枠体と、を備え、
前記駆動源の出力先端部には、駆動側係合部材が設けられており、前記可動演出体の入力先端部には、前記駆動側係合部材と係合して前記駆動源の駆動力を前記可動演出体へ伝達するための可動側係合部材が設けられており、
前記駆動側係合部材は、前記枠体に対して遊動可能な遊動部材に配置されており、
前記枠体には、
前記枠体に対向して配置された前記遊技盤ユニットを、前記枠体に対して固定するために操作可能なロック部材と、
前記遊動部材を前記遊技盤ユニット側へ押し出すための押出部材と、
前記押出部材を前記ロック部材の操作に連動させるための連動部材と、が設けられており、
前記駆動側係合部材と前記可動側係合部材とは、前記ロック部材の操作を受けて前記押出部材が前記遊技盤ユニット側に押し出されたときに、前記遊動部材が前記枠体に対して遊動して、互いに係合するよう構成されている、遊技機。
【請求項２】
前記遊動部材は、前記遊技機の前後方向と、前記前後方向に交差する平面方向とに遊動可能であり、
前記駆動側係合部材と前記可動側係合部材とは、前記駆動源の回転力を前記可動演出体に伝達するよう回動可能であり、
前記駆動側係合部材と前記可動側係合部材とには、前記駆動側係合部材の軸心と前記可動側係合部材の軸心とを一致させるとともに、前記駆動側係合部材の回転位置に対する前記可動側係合部材の回転位置を合わせるための位置案内部が設けられている、請求項１に記載の遊技機。
【請求項３】
前記遊技盤ユニットは、前記枠体に対して回動可能に取り付けられた回動部に配置された状態で前記枠体に支持されており、
前記駆動源及び前記駆動側係合部材には、前記枠体の前面において前記遊動部材に配置された第１駆動源及び第１駆動側係合部材と、前記回動部の回動軸側の側面に直接配置された第２駆動源及び第２駆動側係合部材とがあり、
前記可動側係合部材には、前記第１駆動側係合部材と係合するよう、前記遊技盤ユニットの後面に配置された第１可動側係合部材と、前記第２駆動側係合部材と係合するよう、前記遊技盤ユニットの側面に配置された第２可動側係合部材とがあり、
前記遊技盤ユニットは、前記第２駆動側係合部材に前記第２可動側係合部材が係合されるよう、前記回動部に配置された配置構造と、前記ロック部材の操作を受けて前記第１駆動側係合部材に前記第１可動側係合部材が係合されるよう、前記回動部とともに前記枠体に固定された固定構造とを有する、請求項１又は２に記載の遊技機。
【発明の詳細な説明】
【技術分野】
【０００１】
本発明は、遊技盤ユニットと、遊技盤ユニットを着脱可能に支持する枠体とを備える遊技機に関する。
【背景技術】
【０００２】
パチンコ遊技機等の遊技機においては、遊技を行うための遊技盤の前側に、遊技盤の前側において可動して遊技の演出を行う可動演出体を配置することが行われている。また、遊技盤には、遊技盤における遊技の制御を行う制御装置、可動演出体、可動演出体を駆動するモータ等の駆動源が配置されている。遊技盤は、遊技機の外枠に対して開閉可能に支持された本体枠に配置されている。
【０００３】
また、可動演出体に関する技術ではないが、例えば、特許文献１の遊技機においては、遊技盤の前面に、モータ等を用いた駆動機構によって回転駆動される表面回転体を配置することが行われている。駆動機構は、遊技盤の後面に配置されており、遊技盤を貫通して配置された駆動軸を介して、遊技盤の前面における表面回転体を駆動している。
【先行技術文献】
【特許文献】
【０００４】
【特許文献１】特開２００５−１０３０７５号公報
【発明の概要】
【発明が解決しようとする課題】
【０００５】
ところで、遊技盤には遊技のテーマ（遊技盤ごとの固有の遊技性、遊技演出等）があり、可動演出体、及び制御装置における遊技のテーマに応じた内容の制御を行う内容制御部は、遊技盤の種類ごとに異なる。そのため、遊技機における遊技盤を、他のテーマの遊技盤に取り替えるときには、可動演出体及び内容制御部も取り替える必要がある。
【０００６】
従来の遊技機においては、特に、前述した可動演出体及びその駆動源は、遊技盤との一体性、統一性等を持たせるために、遊技盤に配置されてユニット化されている。そのため、遊技機の機種を他のテーマの機種に変更するときには、遊技盤をユニットごと他の遊技盤に変更することになり、遊技盤だけでなく、可動演出体及びその駆動源も取り替える必要がある。
【０００７】
また、可動演出体の駆動源を本体枠に配置し、本体枠に対して遊技盤及び可動演出体をセットにして取り替えることも考えられる。しかし、この場合、駆動源と可動演出体とをどのように接続し、駆動源の動力を可動演出体へどのように伝達するかが課題となる。駆動源と可動演出体との接続に手間が掛かると、遊技機の機種を変更する際の作業性を悪化させることになる。
【０００８】
本発明は、かかる課題に鑑みてなされたもので、機種替えの作業性を良好に維持して、機種替えに要するコストを低減させることができる遊技機を提供しようとして得られたものである。
【課題を解決するための手段】
【０００９】
本発明の一態様は、可動して遊技の演出を行う可動演出体を有する遊技盤ユニットと、
前記遊技盤ユニットを着脱可能に支持するとともに前記可動演出体を駆動する駆動源を有する枠体と、を備え、
前記駆動源の出力先端部には、駆動側係合部材が設けられており、前記可動演出体の入力先端部には、前記駆動側係合部材と係合して前記駆動源の駆動力を前記可動演出体へ伝達するための可動側係合部材が設けられており、
前記駆動側係合部材は、前記枠体に対して遊動可能な遊動部材に配置されており、
前記枠体には、
前記枠体に対向して配置された前記遊技盤ユニットを、前記枠体に対して固定するために操作可能なロック部材と、
前記遊動部材を前記遊技盤ユニット側へ押し出すための押出部材と、
前記押出部材を前記ロック部材の操作に連動させるための連動部材と、が設けられており、
前記駆動側係合部材と前記可動側係合部材とは、前記ロック部材の操作を受けて前記押出部材が前記遊技盤ユニット側に押し出されたときに、前記遊動部材が前記枠体に対して遊動して、互いに係合するよう構成されている、遊技機にある。
【発明の効果】
【００１０】
前記一態様の遊技機においては、遊技のテーマに沿った仕様の遊技盤及び可動演出体を有する遊技盤ユニットを、可動演出体を駆動する駆動源を有する枠体に着脱可能にしている。そして、遊技機の機種を他のテーマの機種に変更する場合には、枠体に対して、遊技盤及び可動演出体が配置された遊技盤ユニットを他の遊技盤ユニットに取り替えることができる。
【００１１】
これにより、遊技盤及び可動演出体を取り替える際に、駆動源は取り替えずに再利用することができ、取り替えを要する部品点数を減らすことができる。そして、遊技機の機種替えに要するコストを低減させることができる。
【００１２】
また、駆動源と可動演出体との接続は、駆動源の出力先端部に設けられた駆動側係合部材と、可動演出体の入力先端部に設けられた可動側係合部材とが係合されることによって行われる。この場合、駆動側係合部材と可動側係合部材とに特別な工夫がされていないと、駆動側係合部材の位置と可動側係合部材の位置とがずれ、遊技盤ユニットの取り替えの作業を悪化させる。
【００１３】
そこで、前記一態様の遊技機においては、駆動側係合部材を枠体に対して遊動可能な遊動部材に配置している。そして、遊技盤ユニットを枠体に取り付ける際に、駆動側係合部材の位置と可動側係合部材の位置とがずれた場合であっても、遊動部材が枠体に対して遊動することによって、駆動側係合部材の位置と可動側係合部材の位置とを合わせることができる。
【００１４】
ただし、駆動側係合部材と可動側係合部材との位置合わせができたとしても、これらの係合と係合状態の維持とに手間が掛かっては、遊技盤ユニットの取り替えの作業性を良好に維持することはできない。そこで、前記一態様の遊技機においては、駆動側係合部材と可動側係合部材との係合及び係合状態の維持の仕方に工夫をしている。
【００１５】
具体的には、枠体に対して遊技盤ユニットを固定するためのロック部材を利用して、駆動側係合部材と可動側係合部材との係合及びこの係合状態の維持を図る。ロック部材の操作は、連動部材及び押出部材を介して、遊動部材を遊技盤ユニット側へ押し出す動作として利用する。
【００１６】
作業者等は、遊技盤ユニットを枠体に配置したときには、ロック部材を操作する。このとき、ロック部材によって遊技盤ユニットを枠体に固定できるだけでなく、枠体に対して遊動部材が遊動して駆動側係合部材と可動側係合部材とを係合させることができ、かつこの係合状態を維持することができる。
【００１７】
それ故、前記一態様の遊技機によれば、遊技機の機種替えの作業性を良好に維持して、遊技機の機種替えに要するコストを低減させることができる。
【図面の簡単な説明】
【００１８】
【図１】実施形態にかかる、遊技機を前方から見た状態で示す説明図。
【図２】実施形態にかかる、遊技機の枠体を前方から見た状態で示す説明図。
【図３】実施形態にかかる、遊技機の遊技盤ユニットを後方から見た状態で示す説明図。
【図４】実施形態にかかる、駆動側係合部材と可動側係合部材とが係合する前の状態を、遊技機の側方から見た状態で示す断面説明図。
【図５】実施形態にかかる、駆動側係合部材と可動側係合部材とが係合した状態を、遊技機の側方から見た状態で示す断面説明図。
【図６】実施形態にかかる、図５の一部を拡大して示す断面説明図。
【図７】実施形態にかかる、（ａ）駆動側係合部材を示す正面図、（ｂ）可動側係合部材を示す正面図、（ｃ）駆動側係合部材と可動側係合部材とが係合する状態を示す断面説明図。
【図８】実施形態にかかる、遊技盤ユニットが枠体に対向した状態を、遊技機の上方から見た状態で示す説明図。
【図９】実施形態にかかる、枠体に対して、遊技盤ユニットが取り付けられていない回動部が回動した状態を、遊技機の上方から見た状態で示す説明図。
【図１０】実施形態にかかる、枠体に対して回動した回動部に、遊技盤ユニットが取り付けられている状態を、遊技機の上方から見た状態で示す説明図。
【図１１】実施形態にかかる、枠体に対して回動した回動部に、遊技盤ユニットが取り付けられた状態を、遊技機の上方から見た状態で示す説明図。
【発明を実施するための形態】
【００１９】
前述した遊技機にかかる好ましい実施形態について、図面を参照して説明する。
＜実施形態＞
本形態の遊技機１は、図１〜図３に示すように、遊技盤５１及び可動演出体６Ａ，６Ｂ，６Ｃを有する遊技盤ユニット５と、可動演出体６Ａ，６Ｂ，６Ｃの駆動源４Ａ，４Ｂを有する枠体２とを備える。
【００２０】
遊技盤５１は、遊技球による遊技を行うための遊技領域を有する。可動演出体６Ａ，６Ｂ，６Ｃは、可動（回動）して遊技の演出を行うものである。枠体２は、遊技ホールに設置される部分であり、遊技盤ユニット５を着脱可能に支持するものである。駆動源４Ａ，４Ｂは、可動演出体６Ａ，６Ｂ，６Ｃを駆動するものである。
【００２１】
駆動源４Ａ，４Ｂの出力先端部４１には、ギヤ等の動力伝達部材を介して駆動側係合部材４２Ａ，４２Ｂが設けられている。可動演出体６Ａ，６Ｂ，６Ｃの入力先端部６１には、駆動側係合部材４２Ａ，４２Ｂと係合して駆動源４Ａ，４Ｂの駆動力を可動演出体６Ａ，６Ｂ，６Ｃへ伝達するための可動側係合部材６２Ａ，６２Ｂが設けられている。駆動源４Ａ及び駆動側係合部材４２Ａは、枠体２に対して遊動可能な遊動部材２６に配置されている。
【００２２】
図４及び図５に示すように、枠体２には、ロック部材２１、押出部材２３及び連動部材２２が設けられている。ロック部材２１は、枠体２に対向して配置された遊技盤ユニット５を枠体２に対して固定するよう操作可能である。押出部材２３は、遊動部材２６を遊技盤ユニット５側へ押し出すためのものである。連動部材２２は、押出部材２３をロック部材２１の操作に連動させるためのものである。
【００２３】
駆動側係合部材４２Ａと可動側係合部材６２Ａとは、ロック部材２１の操作を受けて押出部材２３が遊技盤ユニット５側に押し出されたときに、遊動部材２６が枠体２に対して遊動して、互いに係合するよう構成されている。
【００２４】
以下に、本形態の遊技機１について詳説する。
（枠体２，遊技盤ユニット５）
本形態の遊技機１はパチンコ遊技機である。図２に示すように、枠体２は、遊技ホールに対して、外枠（図示略）を介して固定されている。枠体２は、遊技機１における共通電気部品を有する。共通電気部品は、遊技盤５１による遊技のテーマに左右されず、種々の遊技盤５１（遊技機１）において共通して使用される基本的な構成要素である。共通電気部品には、可動演出体６Ａ，６Ｂ，６Ｃの駆動源４Ａ，４Ｂ、交流電力から直流電力を作り出す電源装置、共通制御装置、球発射装置、球払出装置等がある。
【００２５】
共通制御装置においては、例えば、遊技盤５１の前面に形成された遊技領域へ遊技球を発射させる球発射装置の発射制御装置、遊技機１の球皿へ目標とする数の遊技球を払い出す球払出装置の払出制御装置、及びそれらの装置の制御等を行うプログラムが含まれている。
【００２６】
遊技機１は、遊技盤５１による遊技のテーマが異なる機種に変更する際に、枠体２から遊技盤ユニット５を取り外し、この遊技盤ユニット５を他の遊技盤ユニット５に取り替えることができるよう構成されている。図３及び図８に示すように、遊技盤ユニット５は、遊技盤５１及び可動演出体６Ａ，６Ｂ，６Ｃの他に、遊技者から視認できるよう遊技盤５１上において光による演出を行う光演出装置等を有する。また、遊技盤ユニット５は、遊技盤５１による遊技のテーマに沿った固有の制御プログラム等が含まれる個別制御装置５４等を有する。個別制御装置５４には、遊技機１における大当り等の主たる遊技を制御する主制御装置、後述する画像表示装置３３１に表示する画像を制御する画像制御装置等がある。
【００２７】
（可動演出体６Ａ，６Ｂ，６Ｃ，駆動源４Ａ，４Ｂ）
図３に示すように、遊技盤５１の前方には、可動演出体６Ａ，６Ｂ，６Ｃ等が配置されている。可動演出体６Ａ，６Ｂ，６Ｃは、駆動源４Ａ，４Ｂから伝達される回転力を利用して、遊技機１の前側、言い換えれば遊技盤５１の前方において、種々の移動、回動等の動作をするものである。可動演出体６Ａ，６Ｂ，６Ｃは、１つの駆動源４Ａ，４Ｂから回転力を受けて動作するものであってもよく、複数の駆動源４Ａ，４Ｂから回転力を受けて動作するものであってもよい。
【００２８】
遊技盤５１の後側には、可動側係合部材６２Ａ，６２Ｂ、個別制御装置５４等が配置された機構部材５２が配置されている。可動演出体６Ａ，６Ｂ，６Ｃは、遊技盤５１及び機構部材５２に対して回動、移動等が可能であり、可動側係合部材６２Ａ，６２Ｂは、機構部材５２に対して回動可能に配置されている。また、遊技盤５１には、遊技機１の前方から画像表示装置３３１が視認できるようにするための開口穴５１１が形成されている。
【００２９】
本形態の駆動源４Ａ，４Ｂは、回転力を発生させるモータによって構成されている。本形態の遊技機１においては、複数の駆動源４Ａ，４Ｂと、複数の可動演出体６Ａ，６Ｂ，６Ｃとが用いられる。駆動側係合部材４２Ａ，４２Ｂは、モータの出力先端部４１に設けられている。モータの出力軸には、駆動ギヤが取り付けられている。本形態の出力先端部４１は、駆動ギヤによって回転する駆動力伝達ギヤの出力軸として形成されている。
【００３０】
本形態の駆動源４Ａ及び駆動側係合部材４２Ａは、遊動部材２６に配置されている。これにより、遊動部材２６が遊動するときに、駆動源４Ａと駆動側係合部材４２Ａとの位置関係に変動がない。そのため、駆動源４Ａと駆動側係合部材４２Ａとを連結する、ギヤ等の動力伝達部材による連結構造を簡単にすることができ、駆動力の伝達を適切に行うことができる。
【００３１】
（回動部３）
図２及び図９に示すように、枠体２には、枠体２に対して回動可能な回動部３が設けられている。遊技盤ユニット５は、回動部３に配置された状態で枠体２に支持されている。回動部３は、遊技盤ユニット５を支持する支持枠部として構成されている。本形態の支持枠部は、折曲げ加工された板金によって構成されている。回動部３には、枠体２の左右方向Ｗの端部において上下方向Ｈに沿った中心軸線を有する回動軸部３１が設けられている。そして、回動部３は、回動軸部３１を中心に枠体２から前方へ回動し、回動軸部３１とは反対側に位置する回動先端部３２から配置される遊技盤ユニット５を支持するよう構成されている。
【００３２】
回動部３には、遊技盤５１における遊技に関連した画像を表示する画像表示装置３３１が配置されている。画像表示装置３３１は、液晶パネルによって構成されており、枠体２側の部品となり、遊技盤ユニット５の取り替えを行って遊技機１の機種変更を行う際に、取り替えを必要としない、複数の機種に対して使用可能な共通部品とされる。
【００３３】
なお、画像表示装置３３１は、遊技盤ユニット５に配置されていてもよい。この場合には、遊技機１の機種変更を行う際に、画像表示装置３３１を遊技盤５１等とともに取り替えることができる。
【００３４】
図２及び図９に示すように、画像表示装置３３１は、回動部３の取付部３３に取り付けられている。回動部３には、画像表示装置３３１が取り付けられた取付部３３の他に、遊技盤ユニット５を下方から支え、遊技盤ユニット５から加わる荷重を受ける荷重受け部３４が形成されている。荷重受け部３４は、回動部３に対して回動先端部３２側から挿入される遊技盤ユニット５の下辺部を受けるよう構成されている。
【００３５】
回動部３及び枠体２には、枠体２に対して回動部３を開けることができる角度を制限するための角度制限機構５３が設けられている。角度制限機構５３は、枠体２と回動部３との間に架け渡されたリンク部材、リンク部材の一方の端部をスライド可能にするスライド溝等を有する。回動部３は、枠体２に対して例えば３５〜５５°回動させることができる。回動部３を開けることができる角度が制限（規定）されることにより、回動部３に対する遊技盤ユニット５の着脱を容易にすることができる。
【００３６】
図１０及び図１１に示すように、遊技盤ユニット５には、遊技盤ユニット５を回動部３に対して配置する際に、画像表示装置３３１が挿入される挿入空間５２１が形成されている。挿入空間５２１は、遊技盤ユニット５の左右方向Ｗに向けて形成されている。挿入空間５２１は、遊技盤５１の後側に形成されており、挿入空間５２１に挿入された画像表示装置３３１は、遊技盤５１の後側に配置される。
【００３７】
（駆動側係合部材４２Ａ，４２Ｂ、可動側係合部材６２Ａ，６２Ｂ）
図２に示すように、駆動源４Ａ，４Ｂ及び駆動側係合部材４２Ａ，４２Ｂには、枠体２の前面２０１において遊動部材２６に配置された第１駆動源４Ａ及び第１駆動側係合部材４２Ａと、回動部３の回動軸部３１側の側面３０３に直接配置された第２駆動源４Ｂ及び第２駆動側係合部材４２Ｂとがある。図３に示すように、可動側係合部材６２Ａ，６２Ｂには、第１駆動側係合部材４２Ａと係合するよう、遊技盤ユニット５の後面５０２に配置された第１可動側係合部材６２Ａと、第２駆動側係合部材４２Ｂと係合するよう、遊技盤ユニット５の側面５０３に配置された第２可動側係合部材６２Ｂとがある。
【００３８】
図９に示すように、第２駆動源４Ｂ及び第２駆動側係合部材４２Ｂは、回動部３における回動軸部３１側の側面３０３に固定されている。回動部３が枠体２に支持された状態において、第２駆動側係合部材４２Ｂの係合先端側は、遊技機１における左右方向Ｗの中心側に向けられる。言い換えれば、第２駆動側係合部材４２Ｂの係合先端側は、回動部３の回動先端部３２側に向けられている。
【００３９】
図１０及び図１１に示すように、回動部３に、回動先端部３２側から遊技盤ユニット５が挿入されるときには、回動部３における第２駆動側係合部材４２Ｂの係合先端側と、遊技盤ユニット５における第２可動側係合部材６２Ｂの係合先端側とが対向する。そして、遊技盤ユニット５が回動部３の規定位置に取り付けられるときには、遊技盤ユニット５における第２可動側係合部材６２Ｂが回動部３における第２駆動側係合部材４２Ｂと係合される。
【００４０】
駆動源４Ａ，４Ｂは、第１駆動源４Ａとして枠体２の前面２０１に配置するだけでなく、第２駆動源４Ｂとして回動部３にも配置することにより、駆動源４Ａ，４Ｂを配置するスペースをより広範囲に確保することができる。また、遊技盤ユニット５における可動演出体６Ａ，６Ｂ，６Ｃの配置部位に応じて、回動部３を利用して駆動源４Ａ，４Ｂを配置することができる。
【００４１】
遊技盤ユニット５は、回動先端部３２側から回動軸部３１側へスライドさせて回動部３に配置される。そのため、回動部３と遊技盤ユニット５との間には回動構造が介在しておらず、回動部３における第２駆動側係合部材４２Ｂと、遊技盤ユニット５における第２可動側係合部材６２Ｂとの間には、位置ずれが生じにくい。そのため、第２駆動源４Ｂ及び第２駆動側係合部材４２Ｂが回動部３を利用して配置されることにより、第２駆動側係合部材４２Ｂと第２可動側係合部材６２Ｂとの係合においては、遊動部材２６を不要にすることができる。
【００４２】
図７（ｃ）に示すように、各駆動側係合部材４２Ａ，４２Ｂと各可動側係合部材６２Ａ，６２Ｂとには、駆動側係合部材４２Ａ，４２Ｂの軸心Ｏ１と可動側係合部材６２Ａ，６２Ｂの軸心Ｏ２とを一致させるとともに、駆動側係合部材４２Ａ，４２Ｂの回転位置に対する可動側係合部材６２Ａ，６２Ｂの回転位置を合わせるための位置案内部４０が設けられている。回転位置とは、駆動側係合部材４２Ａ，４２Ｂと可動側係合部材６２Ａ，６２Ｂとが、駆動側係合部材４２Ａ，４２Ｂ及び可動側係合部材６２Ａ，６２Ｂの中心軸線Ｏ１，Ｏ２の周りの周方向Ｃにおいて係合される位置のことをいう。なお、軸心と中心軸線とは同じ符号Ｏ１，Ｏ２によって示す。
【００４３】
各駆動側係合部材４２Ａ，４２Ｂと各可動側係合部材６２Ａ，６２Ｂとに位置案内部４０が設けられ、かつ遊動部材２６が利用されることにより、各駆動側係合部材４２Ａ，４２Ｂと各可動側係合部材６２Ａ，６２Ｂとの軸心位置及び回転位置の位置合わせを、遊技盤ユニット５を枠体２に配置する動作を利用して行うことができる。
【００４４】
各駆動側係合部材４２Ａ，４２Ｂと各可動側係合部材６２Ａ，６２Ｂとにおける位置案内部４０は、両者の係合を案内するための形状と、駆動源４Ａ，４Ｂの回転力を可動演出体６Ａ，６Ｂ，６Ｃに伝達するための形状とを有する。各駆動側係合部材４２Ａ，４２Ｂと各可動側係合部材６２Ａ，６２Ｂとは、同軸状に係合して回転力を伝達するための歯車構造を有している。
【００４５】
図７（ａ）に示すように、本形態の駆動側係合部材４２Ａ，４２Ｂには、その中心軸線Ｏ１を中心とする周方向Ｃの複数箇所に等間隔に並ぶ駆動側係合凸部４３と、その中心軸線Ｏ１と同心状に配置された案内筒部４５とが形成されている。周方向Ｃにおける複数の駆動側係合凸部４３同士の間には、駆動側係合凹部４４がそれぞれ形成されている。
【００４６】
図７（ｂ）に示すように、本形態の可動側係合部材６２Ａ，６２Ｂには、その中心軸線Ｏ２を中心とする周方向Ｃの複数箇所に等間隔に並ぶ可動側係合凸部６３が形成されている。複数の可動側係合凸部６３の全体は、案内筒部４５の内周側に案内されるよう構成されている。周方向Ｃにおける複数の可動側係合凸部６３同士の間には、可動側係合凹部６４がそれぞれ形成されている。
【００４７】
可動側係合凸部６３が可動側係合部材６２Ａ，６２Ｂの周方向Ｃに形成された間隔と、駆動側係合凸部４３が駆動側係合部材４２Ａ，４２Ｂの周方向Ｃに形成された間隔とは同じである。そして、図７（ｃ）に示すように、可動側係合部材６２Ａ，６２Ｂと駆動側係合部材４２Ａ，４２Ｂとが係合するときには、各可動側係合凸部６３が各駆動側係合凹部４４に配置されるとともに、各駆動側係合凸部４３が各可動側係合凹部６４に配置される。
【００４８】
図７（ａ）〜（ｃ）に示すように、駆動側係合部材４２Ａ，４２Ｂの案内筒部４５の先端部には、可動側係合部材６２Ａ，６２Ｂの先端部の軸心Ｏ２を、駆動側係合部材４２Ａ，４２Ｂの軸心Ｏ１へ案内するための案内テーパ面４５１が形成されている。また、複数の可動側係合凸部６３の先端部には、案内テーパ面４５１及び案内筒部４５の内周側への案内を容易にするための先端テーパ面６３１が形成されている。可動側係合凸部６３の先端部が、案内テーパ面４５１に当接するときには、可動側係合凸部６３の先端部が案内テーパ面４５１を滑って、駆動側係合部材４２Ａ，４２Ｂの軸心Ｏ１と可動側係合部材６２Ａ，６２Ｂの軸心Ｏ２とが合うようになっている。
【００４９】
また、図７（ａ），（ｂ）に示すように、各駆動側係合凸部４３及び各可動側係合凸部６３の周方向Ｃの両側の端部には、各係合凸部４３，６３の周方向Ｃの位置を各係合凹部４４，６４の周方向Ｃの位置へ案内するための周方向テーパ面４３１，６３２が形成されている。駆動側係合部材４２Ａ，４２Ｂと可動側係合部材６２Ａ，６２Ｂとが係合する際に、駆動側係合部材４２Ａ，４２Ｂの回転位置と可動側係合部材６２Ａ，６２Ｂの回転位置とがずれている場合には、各駆動側係合凸部４３と各可動側係合凸部６３とが接触する。このとき、各駆動側係合凸部４３の先端部が各可動側係合凸部６３の周方向テーパ面６３２に当接するとともに、各可動側係合凸部６３の先端部が各駆動側係合凸部４３の周方向テーパ面４３１に当接する。
【００５０】
ここで、駆動側係合部材４２Ａ，４２Ｂには、駆動源４Ａ，４Ｂによる停止トルクが作用している一方、可動側係合部材６２Ａ，６２Ｂには、可動演出体６Ａ，６Ｂ，６Ｃによる停止トルクよりも小さな静止トルクが作用している。そのため、各係合凸部４３，６３の先端部が各周方向テーパ面４３１，６３２に当接して各周方向テーパ面４３１，６３２上を滑るときには、駆動側係合部材４２Ａ，４２Ｂに対して可動側係合部材６２Ａ，６２Ｂが若干回転し、各可動側係合凸部６３が各駆動側係合凹部４４に配置されるとともに、各駆動側係合凸部４３が各可動側係合凹部６４に配置される。これにより、駆動側係合部材４２Ａ，４２Ｂの回転位置と可動側係合部材６２Ａ，６２Ｂの回転位置とが合って、駆動側係合部材４２Ａ，４２Ｂと可動側係合部材６２Ａ，６２Ｂとが係合する。
【００５１】
各可動側係合凸部６３が駆動側係合部材４２Ａ，４２Ｂの案内筒部４５の内周側に配置される構成により、位置案内部４０による、駆動側係合部材４２Ａ，４２Ｂの軸心Ｏ１と可動側係合部材６２Ａ，６２Ｂの軸心Ｏ２とを一致させる構造が形成される。また、各可動側係合凸部６３が各駆動側係合凹部４４に配置されるとともに、各駆動側係合凸部４３が各可動側係合凹部６４に配置される構成により、位置案内部４０による、駆動側係合部材４２Ａ，４２Ｂの回転位置に対する可動側係合部材６２Ａ，６２Ｂの回転位置を合わせる構造が形成される。
【００５２】
駆動側係合部材４２Ａ，４２Ｂの回転位置と可動側係合部材６２Ａ，６２Ｂの回転位置とが合った状態とは、周方向Ｃにおける各係合凸部４３，６３の位置と周方向Ｃにおける各係合凹部４４，６４の位置とが合った状態のことをいう。
【００５３】
なお、駆動側係合部材４２Ａ，４２Ｂの形状と可動側係合部材６２Ａ，６２Ｂの形状とは互いに入れ替わっていてもよく、可動側係合部材６２Ａ，６２Ｂに案内筒部４５が形成されていてもよい。
【００５４】
（可動演出体６Ａ，６Ｂ，６Ｃ及び駆動源４Ａ，４Ｂの具体的構成）
図２に示すように、本形態の第１駆動源４Ａは、枠体２の前面２０１の３箇所に配置されており、第２駆動源４Ｂは、回動部３の回動軸部３１側の側面３０３の１箇所に配置されている。図３に示すように、本形態の可動演出体６Ａ，６Ｂ，６Ｃには、２つの第１駆動源４Ａによる駆動力を受けて可動する第１可動演出体６Ａと、１つの第１駆動源４Ａによる駆動力を受けて可動する第２可動演出体６Ｂと、１つの第２駆動源４Ｂによる駆動力を受けて可動する第３可動演出体６Ｃとがある。
【００５５】
図１に示すように、第１可動演出体６Ａは、遊技機１の前面１０１において上下に移動できるよう構成されている。第２可動演出体６Ｂ及び第３可動演出体６Ｃは、遊技機１の前面１０１において回動できるよう構成されている。なお、駆動源４Ａ，４Ｂと可動演出体６Ａ，６Ｂ，６Ｃとの組み合わせ方は、任意に変更することができる。
【００５６】
（遊動部材２６、ロック部材２１，押出部材２３，連動部材２２）
図４及び図５に示すように、ロック部材２１の操作力は、押出部材２３としての回動部材２４及び押出プレート２５、並びに遊動部材２６を介して第１駆動側係合部材４２Ａに伝達され、第１駆動側係合部材４２Ａと第１可動側係合部材６２Ａとの係合に利用される。
【００５７】
遊動部材２６は、枠体２の前後方向Ｄ及び前後方向Ｄに交差する平面方向に対して遊動可能である。本形態の平面方向は前後方向Ｄに直交する上下方向Ｈ及び左右方向Ｗが含まれる平面内の方向のことをいう。平面方向は、前後方向Ｄに対して傾斜する平面内の方向としてもよい。図４〜図６及び図８〜図１１においては、前後方向Ｄの前方を符号Ｄ１によって示す。
【００５８】
本形態の押出部材２３は、連動部材２２によって回動する回動部材２４と、遊動部材２６が配置されるとともに、回動部材２４によって押し出される押出プレート２５とによって構成されている。
【００５９】
図６に示すように、枠体２には、押出プレート２５が、前後方向Ｄにスライド可能に配置されており、複数の遊動部材２６は、遊動バネ部材２６２を介して押出プレート２５に配置されている。押出プレート２５には、枠体２に対して摺動可能な突出部２５０が設けられている。押出プレート２５は、突出部２５０に配置された押出バネ部材２５２によって後方へ付勢されている。
【００６０】
各遊動部材２６は、押出プレート２５に対して平面方向及び前後方向Ｄへ遊動可能である。各遊動部材２６には、押出プレート２５に設けられた複数の軸部２５１のそれぞれが配置された複数の貫通穴２６１が形成されている。各遊動部材２６は、各貫通穴２６１における各軸部２５１の位置が変化することによって平面方向へ遊動可能であり、各貫通穴２６１に対して各軸部２５１がその軸方向にスライドすることによって前後方向Ｄへ遊動可能である。
【００６１】
各第１駆動源４Ａ及び各第１駆動側係合部材４２Ａは、各遊動部材２６の前面に個別に配置されている。各遊動部材２６は、複数の遊動バネ部材２６２の弾性力を受けた状態で押出プレート２５に対して平面方向及び前後方向Ｄに遊動可能である。本形態の押出バネ部材２５２及び遊動バネ部材２６２は、圧縮バネによって構成されている。
【００６２】
図４及び図５に示すように、ロック部材２１は、枠体２に対して遊技盤ユニット５を固定するための固定位置２０５と、枠体２に対する遊技盤ユニット５の固定を解除するための解除位置２０６とに回動操作可能である。ロック部材２１は、枠体２における、遊技盤ユニット５の配置位置の前方において回動可能に配置されている。ロック部材２１は、遊技盤ユニット５の遊技盤５１の前面５０１の端部に配置されたときに、遊技盤ユニット５を枠体２との間に挟持する挟持部２１１と、連動部材２２に回転接触するローラ部２１２とを有する。
【００６３】
ロック部材２１は、付勢部材によって解除位置２０６に付勢されている。そして、作業者が、遊技盤ユニット５が配置された回動部３を回動させて枠体２に配置する際に、遊技盤ユニット５における遊技盤５１によって押されて解除位置２０６から固定位置２０５に回動する。言い換えれば、ロック部材２１の回動操作は、遊技盤ユニット５を枠体２に配置する動作に伴って行うことができる。
【００６４】
図示は省略するが、枠体２の前側には、遊技盤５１を前方に向けて付勢する付勢部材が配置されている。ロック部材２１によって枠体２に対して遊技盤ユニット５を固定するときには、付勢部材によって、ロック部材２１の挟持部２１１の後面と、遊技盤５１の前面５０１とが当接される。これにより、枠体２に対する遊技盤５１の配置位置が規定される。
【００６５】
回動部材２４及び押出プレート２５は、ロック部材２１を解除位置２０６から固定位置２０５へ回動させる操作を利用して、遊動部材２６を遊動させながら第１駆動側係合部材４２Ａを第１可動側係合部材６２Ａに係合させることが可能である。回動部材２４は、押出プレート２５の後方に対向して配置されており、回動軸２４０の周りに回動可能である。回動部材２４は、ロック部材２１の解除位置２０６から固定位置２０５への操作を受けた連動部材２２によって押されて回動するよう構成されている。
【００６６】
回動部材２４の回動軸２４０の周りには、回動部材２４を、ロック部材２１の解除位置２０６に対応した元の位置に付勢する付勢バネ２４２が配置されている。また、回動部材２４は、ロック部材２１が解除位置２０６から固定位置２０５に回動するときに、回動軸２４０を中心に回動して、押出プレート２５を前方へ押し出す押出部２４１を有する。押出部２４１は、回動部材２４において回動軸２４０よりも下方の位置に形成されている。押出部２４１は、回動部材２４が上下方向に沿って配置された状態において、回動部材２４の前面側において、後方へ屈曲する前面によって形成されている。
【００６７】
図４及び図５に示すように、連動部材２２は、ロック部材２１の解除位置２０６から固定位置２０５への操作力を回動部材２４に伝達するよう構成されている。連動部材２２は、枠体２における前後方向Ｄに向けて配置されており、枠体２における前後方向Ｄに自由にスライド可能である。連動部材２２の前側の端部２２１には、ロック部材２１のローラ部２１２が接触可能である。連動部材２２の後側の端部２２２は、回動部材２４における回動軸２４０よりも上方に位置する部位に接触可能である。
【００６８】
ロック部材２１が解除位置２０６から固定位置２０５に回動操作されるときには、連動部材２２を介して回動部材２４が回動する。このとき、回動部材２４の押出部２４１の前面が、押出プレート２５の後面に当接し、回動部材２４によって押出プレート２５が前方に押し出される。そして、押出プレート２５に対して複数の遊動部材２６が遊動することができる。また、ロック部材２１が固定位置２０５から解除位置２０６に回動操作されるときには、複数の押出バネ部材２５２による弾性力を受けて押出プレート２５が元の位置に戻されるとともに、付勢バネ２４２による弾性力を受けて回動部材２４が元の位置に戻される。
【００６９】
（遊技盤ユニット５の構造）
遊技盤ユニット５は、図９〜図１１に示すように、第２駆動側係合部材４２Ｂに第２可動側係合部材６２Ｂが係合されるよう、回動部３の回動先端部３２側から回動軸部３１側へスライドして回動部３に配置された配置構造５０５と、図４、図５及び図８に示すように、ロック部材２１の操作を受けて第１駆動側係合部材４２Ａに第１可動側係合部材６２Ａが係合されるよう、回動部３とともに枠体２に固定された固定構造５０６とを有する。遊技盤ユニット５の配置構造５０５及び固定構造５０６により、作業者による、枠体２に対する遊技盤ユニット５の取付け・取外しの作業を容易にすることができる。
【００７０】
また、遊技機１においては、図９〜図１１に示すように、遊技盤ユニット５が、回動部３の回動先端部３２側から回動軸部３１側へスライドして回動部３に配置され、次いで、図４、図５及び図８に示すように、遊技盤ユニット５が配置された回動部３が枠体２に対して後方に向けて回動された後、ロック部材２１の操作を受けて遊技盤ユニット５が枠体２に固定される。遊技盤ユニット５を、一旦回動部３に配置することにより、作業者は、重量のある遊技盤ユニット５を一旦手から放すことができる。
【００７１】
また、遊技盤ユニット５を、枠体２の前方に位置する回動部３へ回動先端部３２側から配置することにより、その配置を容易にすることができる。そして、作業者は、遊技盤ユニット５が配置された回動部３を回動させることにより、重量のある遊技盤ユニット５の取扱いを容易にし、遊技盤ユニット５を枠体２に対する正規の配置に容易に配置することができる。
【００７２】
（枠体２と遊技盤ユニット５との電気接続）
枠体２と遊技盤ユニット５とには、遊技盤ユニット５における、各種入賞装置、光演出装置、個別制御装置５４等の個別制御機器と、枠体２における、画像表示装置３３１、電源装置、共通制御装置等の共通電気部品との電気接続を行うための接続部材２７，５７がそれぞれ配置されている。遊技盤ユニット５の盤側接続部材５７は、図３に示すように、遊技盤ユニット５の後面５０２に配置されており、枠体２の枠側接続部材２７は、図２に示すように、枠体２の前面２０１に配置されている。
【００７３】
盤側接続部材５７と枠側接続部材２７との少なくとも一方は、遊動可能な状態で遊技盤ユニット５又は枠体２に配置されている。そして、回動部３を回動させて枠体２に対して遊技盤ユニット５を対向させたときには、盤側接続部材５７と枠側接続部材２７とが相対的に遊動して、盤側接続部材５７と枠側接続部材２７とが接続される。盤側接続部材５７と枠側接続部材２７とは、いわゆるドロワーコネクタによって構成することができる。各接続部材２７，５７を用いることにより、枠体２側と遊技盤ユニット５側との電気接続を、回動部３によって遊技盤ユニット５を枠体２に配置する回動操作を利用して、簡単に行うことができる。
【００７４】
（取付け・取外し動作）
次に、枠体２に対して遊技盤ユニット５を取り付ける動作、及び枠体２から遊技盤ユニット５を取り外す動作について説明する。
遊技機１の機種を変更する際には、それまで使用されていた遊技盤ユニット５を枠体２から取り外し、新たに使用する遊技盤ユニット５を枠体２へ取り付ける。
【００７５】
遊技盤ユニット５を枠体２から取り外すときには、図４及び図５に示すように、作業者はロック部材２１を固定位置２０５から解除位置２０６へ回動操作する。このとき、複数の押出バネ部材２５２によって押出プレート２５が後方へスライドするとともに、付勢バネ２４２によって回動部材２４の押出部２４１が後方へ回動する。また、連動部材２２は、回動部材２４によって前方へ押し戻される。そして、各第１駆動側係合部材４２Ａから各第１可動側係合部材６２Ａが離れ、各第１駆動側係合部材４２Ａと各第１可動側係合部材６２Ａとの係合が解除される。
【００７６】
次いで、作業者は、図１１に示すように、遊技盤ユニット５が配置された回動部３を、その回動軸を中心に枠体２から前方へ回動させる。このとき、各第１駆動側係合部材４２Ａから各第１可動側係合部材６２Ａが離れるとともに、遊技盤ユニット５が枠体２から離れる。次いで、作業者は、図９及び図１０に示すように、回動部３に対して、回動部３の回動軸部３１側から回動先端部３２側へ遊技盤ユニット５をスライドさせる。このとき、第２駆動側係合部材４２Ｂから第２可動側係合部材６２Ｂが離れ、回動部３から遊技盤ユニット５を取り外すことができる。
【００７７】
また、新たに使用する遊技盤ユニット５を枠体２に取り付けるときには、作業者は、図９及び図１０に示すように、回動部３に対して遊技盤ユニット５を載置し、回動部３の回動先端部３２側から回動軸部３１側へ遊技盤ユニット５をスライドさせる。このとき、図１１に示すように、回動部３における第２駆動側係合部材４２Ｂに対して、遊技盤ユニット５における第２可動側係合部材６２Ｂが係合される。この係合の際に、第２駆動側係合部材４２Ｂの回転位置と第２可動側係合部材６２Ｂの回転位置とにずれがある場合には、各係合凸部４３，６３の先端部と各周方向テーパ面４３１，６３２との当接により、第２駆動側係合部材４２Ｂに対して第２可動側係合部材６２Ｂが若干回動して、両者の回転位置のずれが矯正され、第２駆動側係合部材４２Ｂと第２可動側係合部材６２Ｂとが係合する。
【００７８】
次いで、作業者は、図８に示すように、遊技盤ユニット５が配置された回動部３を回動させ、遊技盤ユニット５を枠体２の前側に配置する。このとき、図４に示すように、複数の第１駆動側係合部材４２Ａと複数の第１可動側係合部材６２Ａとが対向する。また、図５に示すように、作業者が回動部３を回動させて遊技盤ユニット５を枠体２の前側に配置するときには、遊技盤ユニット５における遊技盤５１によってロック部材２１が解除位置２０６から固定位置２０５に回動操作される。このとき、ロック部材２１の挟持部２１１によって、遊技盤ユニット５が枠体２に支持され、枠体２に対して遊技盤ユニット５が固定される。また、ロック部材２１が固定位置２０５に回動操作されるときには、連動部材２２を介して回動部材２４が押出プレート２５を前方へ押し出す。
【００７９】
このとき、押出プレート２５に複数の遊動バネ部材２６２を介して支持された各遊動部材２６、及び各遊動部材２６に配置された第１駆動源４Ａ及び第１駆動側係合部材４２Ａが前方へ押し出される。そして、図７（ｃ）に示すように、各遊動部材２６において、第１駆動側係合部材４２Ａの軸心Ｏ１と第１可動側係合部材６２Ａの軸心Ｏ２とがずれている場合には、各可動側係合凸部６３の先端部が案内筒部４５の案内テーパ面４５１に案内され、図６に示すように、遊動部材２６が複数の遊動バネ部材２６２を介して押出プレート２５に対して平面方向に遊動する。これにより、第１駆動側係合部材４２Ａの軸心Ｏ１と第１可動側係合部材６２Ａの軸心Ｏ２とが一致する。
【００８０】
また、各遊動部材２６において、第１駆動側係合部材４２Ａの回転位置と第１可動側係合部材６２Ａの回転位置とがずれている場合には、複数の遊動バネ部材２６２が圧縮され、複数の遊動バネ部材２６２による弾性力を受けた遊動部材２６によって、第１駆動側係合部材４２Ａが第１可動側係合部材６２Ａに押し当てられる。そして、複数の遊動バネ部材２６２による弾性力を受けた状態で、各係合凸部４３，６３の先端部が相手側の各係合凸部４３，６３の周方向テーパ面４３１，６３２に案内され、各係合凸部４３，６３が各係合凹部４４，６４に配置される。これにより、第１駆動側係合部材４２Ａの回転位置と第１可動側係合部材６２Ａの回転位置とが一致する。
【００８１】
なお、第１駆動側係合部材４２Ａの回転位置と第１可動側係合部材６２Ａの回転位置とがずれている場合とは、各駆動側係合凸部４３の周方向Ｃの位置と各可動側係合凹部６４の周方向Ｃの位置、及び各駆動側係合凹部４４の周方向Ｃの位置と各可動側係合凸部６３の周方向Ｃの位置とがずれている場合のことをいう。
【００８２】
このようにして、第１駆動側係合部材４２Ａの案内筒部４５の内周側に第１可動側係合部材６２Ａが挿入され、各駆動側係合凸部４３が各可動側係合凹部６４に配置されるとともに各可動側係合凸部６３が各駆動側係合凹部４４に配置されて、第１駆動側係合部材４２Ａと第１可動側係合部材６２Ａとが係合する。また、この係合状態は、複数の遊動バネ部材２６２及び押出バネ部材２５２による弾性力を受けた状態で維持される。こうして、新たに使用する遊技盤ユニット５が枠体２に取り付けられる。
【００８３】
（作用効果）
本形態の遊技機１においては、遊技のテーマに沿った仕様の遊技盤５１及び可動演出体６Ａ，６Ｂ，６Ｃを有する遊技盤ユニット５を、可動演出体６Ａ，６Ｂ，６Ｃの駆動源４Ａ，４Ｂを有する枠体２に着脱可能にしている。そして、遊技機１の機種を他のテーマの機種に変更する場合には、枠体２に対して、遊技盤５１及び可動演出体６Ａ，６Ｂ，６Ｃが配置された遊技盤ユニット５を他の遊技盤ユニット５に取り替えることができる。
【００８４】
これにより、遊技盤５１及び可動演出体６Ａ，６Ｂ，６Ｃを取り替える際に、駆動源４Ａ，４Ｂは取り替えずに再利用することができ、取り替えを要する部品点数を減らすことができる。また、本形態においては、画像表示装置３３１も、駆動源４Ａ，４Ｂと同様に取り替えずに再利用することができる。そして、遊技機１の機種替えに要するコストを低減させることができる。
【００８５】
また、第１駆動源４Ａと第１、第２可動演出体６Ａ，６Ｂとの接続は、第１駆動源４Ａの出力先端部４１に設けられた第１駆動側係合部材４２Ａと、第１、第２可動演出体６Ａ，６Ｂの入力先端部６１に設けられた第１可動側係合部材６２Ａとが係合されることによって行われる。この場合、第１駆動側係合部材４２Ａと第１可動側係合部材６２Ａとに特別な工夫がされていないと、第１駆動側係合部材４２Ａの軸心位置及び回転位置と第１可動側係合部材６２Ａの軸心位置及び回転位置とがずれ、遊技盤ユニット５の取り替えの作業を悪化させる。
【００８６】
そこで、本形態の遊技機１においては、第１駆動源４Ａ及び第１駆動側係合部材４２Ａを枠体２に対して遊動可能な遊動部材２６に配置している。そして、遊技盤ユニット５を枠体２に取り付ける際に、第１駆動側係合部材４２Ａの軸心位置及び回転位置と第１可動側係合部材６２Ａの軸心位置及び回転位置とがずれた場合であっても、遊動部材２６が枠体２に対して遊動することによって、第１駆動側係合部材４２Ａの軸心位置及び回転位置と第１可動側係合部材６２Ａの軸心位置及び回転位置とを合わせることができる。
【００８７】
ただし、第１駆動側係合部材４２Ａと第１可動側係合部材６２Ａとの位置合わせができたとしても、これらの係合と係合状態の維持とに手間が掛かっては、遊技盤ユニット５の取り替えの作業性を良好に維持することはできない。そこで、本形態の遊技機１においては、第１駆動側係合部材４２Ａと第１可動側係合部材６２Ａとの係合及び係合状態の維持の仕方に工夫をしている。
【００８８】
具体的には、枠体２に対して遊技盤ユニット５を固定するためのロック部材２１を利用して、第１駆動側係合部材４２Ａと第１可動側係合部材６２Ａとの係合及びこの係合状態の維持を図る。ロック部材２１の回動操作は、連動部材２２、回動部材２４及び押出プレート２５を介して、遊動部材２６を遊技盤ユニット５側へ押し出す動作として利用する。
【００８９】
作業者等は、遊技盤ユニット５を枠体２に配置したときには、ロック部材２１を解除位置２０６から固定位置２０５に回動操作する。このとき、ロック部材２１によって遊技盤ユニット５を枠体２に固定できるだけでなく、枠体２に対して遊動部材２６が遊動して第１駆動側係合部材４２Ａと第１可動側係合部材６２Ａとを係合させることができ、かつこの係合状態を維持することができる。
【００９０】
それ故、本形態の遊技機１によれば、遊技機１の機種替えの作業性を良好に維持して、遊技機１の機種替えに要するコストを低減させることができる。
【００９１】
なお、遊技機１においては、第２駆動源４Ｂ及び第２可動演出体６Ｂを用いないこともできる。また、本形態に示した遊技盤ユニット５と枠体２との固定構造５０６は、回動部３を有しない遊技機に対しても適用することができる。
【００９２】
また、第１駆動源４Ａは枠体２に配置し、遊動部材２６には、第１駆動源４Ａの出力軸に繋がる第１駆動側係合部材４２Ａのみを配置してもよい。この場合には、第１駆動源４Ａの出力軸と第１駆動側係合部材４２Ａとの間には、第１駆動側係合部材４２Ａが遊動したときの位置ずれを吸収する構造を設ける。
また、ロック部材２１は、回動操作する構成とする以外にも、スライド操作する構成としてもよい。
【００９３】
本発明は、各実施形態のみに限定されるものではなく、その要旨を逸脱しない範囲においてさらに異なる実施形態を構成することが可能である。また、本発明は、様々な変形例、均等範囲内の変形例等を含む。
【符号の説明】
【００９４】
１  遊技機
２  枠体
２１  ロック部材
２２  連動部材
２３  押出部材
２４  回動部材
２５  押出プレート
２６  遊動部材
３  回動部
４Ａ，４Ｂ  駆動源
４２Ａ，４２Ｂ  駆動側係合部材
４３  駆動側係合凸部
４４  駆動側係合凹部
５  遊技盤ユニット
５１  遊技盤
６Ａ，６Ｂ，６Ｃ  可動演出体
６２Ａ，６２Ｂ  可動側係合部材
６３  可動側係合凸部
６４  可動側係合凹部
【図１】
2019092936.tif 000003
【図２】
2019092936.tif 000004
【図３】
2019092936.tif 000005
【図４】
2019092936.tif 000006
【図５】
2019092936.tif 000007
【図６】
2019092936.tif 000008
【図７】
2019092936.tif 000009
【図８】
2019092936.tif 000010
【図９】
2019092936.tif 000011
【図１０】
2019092936.tif 000012
【図１１】
2019092936.tif 000013